(57)【要約】【課題】反りに強く、また、製造における原材料選択の制約もない開閉戸用パネルを提供する。【解決手段】複数のパネル材１（１ａ〜１ｃ）から構成された開閉戸用パネルであって、各々のパネル部材１（１ａ〜１ｃ）の上端面と下端面に形成された溝部１ｍ、１ｍに挿入する雇い実２（２ａ，２ｂ）を介して、該複数のパネル部材１（１ａ〜１ｃ）を接続し、この接続したパネル部材１（１ａ〜１ｃ）の両側の側端面に框材３（３ａ，３ｂ）を取り付けて構成した。【選択図】図１
2005090206.tif 000002
【特許請求の範囲】
【請求項１】
複数のパネル部材から構成された開閉戸用パネルであって、各々のパネル部材の上端面と下端面に形成された溝部に挿入する雇い実を介して、該複数のパネル部材を接続し、この接続したパネル部材の両側の側端面に框材を取り付けてなることを特徴とする開閉戸用パネル。
【請求項２】
請求項１において、該框材が、内側面にパネル部材嵌合溝を有する横断面略コ字状の溝形体よりなる開閉戸用パネル。
【請求項３】
請求項１又は２において、該雇い実および／または該框材を金属材で構成した開閉戸用パネル。
【請求項４】
請求項１乃至３のいずれかにおいて、該雇い実の端部を該框材に接続固定した開閉戸用パネル。
【請求項５】
請求項１乃至４のいずれかにおいて、接続したパネル部材の上下端面に框材を取り付けた開閉戸用パネル。
【発明の詳細な説明】
【技術分野】
【０００１】  本発明は、引き戸、引き違い戸、開き戸、折り戸などのような開閉戸用パネルに関し、特に、複数のパネル部材から構成された開閉戸用パネルに関するものである。
【背景技術】
【０００２】  従来の開閉戸用パネルは、１枚の大型なパネル部材で構成されたものであった
（例えば、特許文献１参照）。
【特許文献１】特開２００３−９０１７６号公報（図１、図５）
【発明の開示】
【発明が解決しようとする課題】
【０００３】  上記従来の開閉戸用パネルにおいては、１枚のパネル部材が大型なものとなるので、外部からの応力、水分、湿気などによる反りが生じ易い構造であった。また、この１枚のパネル部材の両側に框材を設けた構成とした場合にも、パネル部材中心部での反りの発生に対しての抑制効果は低く、やはり反りが生じ易いものであった。【０００４】  さらに、特に、開閉戸用パネルが大型なものとなればなるほど、これを構成するパネル部材も同等な大型なものが必要となり、しいては、パネル部材の原材料も大型なものでなければ使用できないといった原材料選択の制約をも伴うものであった。【０００５】  したがって、本発明は、反りに強く、また、製造における原材料選択の制約もない開閉戸用パネルを提供することを課題とするものである。
【課題を解決するための手段】
【０００６】  本出願は、上記の課題を解決するためのものとして、請求項１の構成は、複数のパネル部材から構成された開閉戸用パネルであって、各々のパネル部材の上端面と下端面に形成された溝部に挿入する雇い実を介して、該複数のパネル部材を接続し、この接続したパネル部材の両側の側端面に框材を取り付けてなることを特徴とする開閉戸用パネルを提供する。【０００７】  請求項２の構成は、請求項１において、該框材が、内側面にパネル部材嵌合溝を有する横断面略コ字状の溝形体よりなることを特徴とする開閉戸用パネルを提供する。【０００８】  請求項３の構成は、請求項１又は２において、該雇い実および／または該框材を金属材で構成したことを特徴とする開閉戸用パネルを提供する。【０００９】  請求項４の構成は、請求項１乃至３のいずれかにおいて、該雇い実の端部を該框材に接続固定したことを特徴とする開閉戸用パネルを提供する。【００１０】  請求項５の構成は、請求項１乃至４のいずれかにおいて、接続したパネル部材の上下端面に框材を取り付けたことを特徴とする開閉戸用パネルを提供する。
【発明の効果】
【００１１】  請求項１の開閉戸用パネルにおいては、複数のパネル部材で構成するので、パネル部材１枚を小さなものとすることができ、このため各パネル部材における反りを発生しにくいものとすることができる。また、その複数のパネル部材の組付け構成として、各々のパネル部材の上端面と下端面に形成された溝部に挿入する雇い実を介して、複数のパネル部材を接続するので、この雇い実も各パネル部材の上・下端面（横）方向に対する反りの抑制効果をなし、さらに、この接続したパネル部材の両側の側端面に框材を取り付けて固定するので、この框材も各パネル部材の側端面（縦）方向に対する反りの抑制効果をもなす。したがって、各々のパネル部材での反りが生じにくいため開閉戸用パネルとしても反りが生じないものとなる。しかもその上、パネル部材１枚が小さいため、パネル部材の原材料選択の範囲も広がり、パネル部材の組合せ枚数の選択とパネル部材寸法の微調整によって、様々な寸法の開閉戸用パネルへも容易に対応可能なものとなる。【００１２】  請求項２の開閉戸用パネルにおいては、請求項１で用いる框材の形状が、その内側面にパネル部材嵌合溝を有する横断面略コ字状の溝形体よりなるので、框材によりパネル部材の側端面と、さらにその側端面を挟むパネル部材の両表面端部をも挟持するため、請求項１と同様な効果が得られ、またより一層、反り抑制効果の大きい開閉戸用パネルとなる。【００１３】  請求項３の開閉戸用パネルにおいては、請求項１または２における雇い実および／または框材を、強度の高い金属材で構成しているので、請求項１および２と同様の効果が得られ、またパネル部材の反りに対する抑制効果が一段と高いものとすることができる。【００１４】  請求項４の開閉戸用パネルにおいては、請求項１乃至３のいずれかにおける雇い実の端部を框材に接続固定したので、組付け性もより強固なものとなり、これによって、請求項１乃至３と同様な効果が得られ、また反り抑制効果もさらに向上したものとなる。【００１５】  請求項５の開閉戸用パネルにおいては、請求項１乃至４のいずれかにおいて、接続したパネル部材の上下端面にも框材を取り付けたので、全パネル部材の端面全周を雇い実と框材によって補強することができ、請求項１乃至４と同様な効果が得られ、さらに一層反りの抑制効果を大きくすることができる。また、開閉戸用パネルの組付け性もより強固なものとすることが可能である
【発明を実施するための最良の形態】
【００１６】  本発明による開閉戸用パネルの最良の形態として、複数のパネル部材、雇い実および框材を用いて構成された開閉戸用パネルについて以下図面に基づいて詳細に説明する。
【実施例１】
【００１７】  図１乃至図３は、本発明の開閉戸用パネルの一実施形態を例示したものであり、図１は、正面図、図２は、要部拡大分解斜視図、図３は、横断面図を示したものである。また、図４は、本発明の開閉戸用パネルの一実施形態の一変形例を例示した正面図、図５は、本発明の開閉戸用パネルの一実施形態の他の変形例を例示した横断面図を示したものである。【００１８】  図１に示したように本発明の開閉戸用パネルは、木製の単一部材でなる３枚のパネル部材１（１ａ、１ｂ、１ｃ）を、雇い実２（２ａ，２ｂ）および框材３（３ａ，３ｂ）を用いて組付けて構成したものである。パネル部材１としては、木製の単一部材からなるもの以外にも、木材、金属材、発泡材、コルク材、ダンボール（紙）などを芯材とし、さらにその表面にこれらを積層して形成した複合部材なども使用可能である。雇い実２としては、パネル部材１以上の強度を持つ部材が好ましく、たとえば、木材、金属材、樹脂材などが使用可能である。なかでも、アルミ材のような、軽量で耐食性もよく、強度的にも優れた金属材を使用するのがさらに望ましい。また、框材３としては、木材、金属材、樹脂材などが使用可能であるが、外観的な面を除けば、こちらも強度的に高いものを使用することが望ましい。さらに、これら複数の部材を用いて構成した複合部材を使用することも可能である。なお、パネル部材１、雇い実２、框材３は、前記した部材に限定するものではない。【００１９】  次にその構成の詳細について説明する。３枚のパネル部材１ａ、１ｂ、１ｃは、雇い実２ａ，２ｂを用いて縦（上下）方向に順次接続されている。上部のパネル部材１ａと中央部のパネル部材１ｂは上部の雇い実２ａ、中央部のパネル部材１ｂと下部のパネル部材１ｃは下部の雇い実２ｂにて接続され、図２に示したように、それぞれのパネル部材１ａ〜１ｃの接続面となる上端面と下端面に形成された溝部１ｍ、１ｍに雇い実２ａ，２ｂを挿入し、この雇い実２ａ，２ｂを介してパネル部材１ａ〜１ｃ間の接続がなされている。また、雇い実２ａ，２ｂは、パネル部材１ａ〜１ｃの接続面（相対する上・下端面）と等しい長さで、接続面の溝部１ｍ、１ｍに完全に隠れる形状となっており、接続によってパネル部材１ａ〜１ｃの接続面同士が接触するようになっている。【００２０】  このようにして縦（上下）方向に接続した３枚のパネル部材１ａ〜１ｃに対し、その両側の側端面に縦方向の框材３ａ（左側），３ｂ（右側）を取り付けて、この接続したパネル部材１ａ〜１ｃを固定する。図３に示したように、框材３ａ，３ｂは、内側面にパネル部材嵌合溝３ｍを有する横断面コ字状（凹形状）の溝形体よりなり、横断面コ字状に形成された集成材５からなる部材の表面にＭＤＦ（Ｍｅｄｉｕｍ  Ｄｅｎｓｉｔｙ  Ｆｉｂｒｅｂｏａｒｄ）４を貼りつけた複合部材で構成されており、接続したパネル部材１ａ〜１ｃおよび雇い実２ａ，２ｂの両側の側端面を、この内側面のパネル部材嵌合溝部３ｍに挿入した状態で、框材３ａ，３ｂに固定する。【００２１】  以上のように構成された本発明の開閉戸用パネルは、例えば３枚の小さなパネル部材１ａ〜１ｃより構成されており、１枚のパネル部材１ａ〜１ｃ自体は小さなものとなっているので、各���のパネル部材１ａ〜１ｃにおける反りの発生が生じにくい。また、これら３枚のパネル部材１ａ〜１ｃは、各々の周端面（上下端面および両側の側端面）に雇い実２ａ，２ｂおよび框材３ａ，３ｂが配置され組付けされるとともに、各配置端面でのパネルの直線性を維持する機能もなしており、これによっても、パネル部材１ａ〜１ｃの反り発生を抑制している。具体的には、中央部のパネル部材１ｂでは、４端面すべて、上部・下部のパネル部材１ａ，１ｃでは、１端面を除く３端面に雇い実２ａ，２ｂおよび框材３ａ，３ｂが配置されており、その効果が高いものとなっている。【００２２】  さらに、１枚のパネル部材１（１ａ〜１ｃ）が小さいので、パネル部材１（１ａ〜１ｃ）の原材料の選択できる範囲も広く、また、パネル部材１の組合せ枚数を増減させたり、パネル部材１寸法の微調整によって、様々な寸法の開閉戸用パネルへも容易に対応できる構成となっている。またこれに加え、複数のパネル部材１（１ａ〜１ｃ）の状態で保管、運搬し、据付現場で複数のパネル部材１（１ａ〜１ｃ）を雇い実２（２ａ〜２ｂ）を介して接続し、框材３（３ａ〜３ｂ）を取り付けて開閉戸用パネルを形成した場合には、１枚のパネル部材１（１ａ〜１ｃ）自体が小さなものとなっているので、保管、運搬や据付をも容易なものとすることができる。【００２３】  また、この実施例１の一つの変形例として、装飾的な観点より、図４に示したような、接続面（相対する上・下端面）の両方の溝１ｍ、１ｍ深さを合せた長さよりも長い雇い実２（２ａ，２ｂ）を使用し、パネル部材１（１ａ〜１ｃ）同士が非接触で雇い実２（２ａ，２ｂ）の一部が露出するような形態としてもよい。【００２４】  さらに、この実施例１の他の変形例として、図５に示したように、縦方向の框材３（３ａ，３ｂ）にアルミ材を用い、中空部をもつ横断面コ字状で形成されたものなどでもよく、また、図示はしないが、同様に雇い実２（２ａ、２ｂ）にアルミ材を用いてもよい。【００２５】  このようにした場合、反り抑制効果もさらに向上し、その上、開閉戸用パネルとして軽量で、耐食性にもすぐれ、耐久性のあるものとすることができる。
【実施例２】
【００２６】  図６は、本発明の開閉戸用パネルの他の実施形態を例示した横断面図を示したもので、図７は、本発明の開閉戸用パネルの他の実施形態の変形例を例示した横断面図を示したものである。なお、図６、７においては、図１〜５と同一の部分には、同一の符号を付して説明を省略する。【００２７】  開閉戸用パネルの他の形態として、図６および図７に示したように、雇い実２の両端部を框材３（３ａ，３ｂ）のパネル部材嵌合溝３ｍ、３ｍに嵌めこみ、接続固定した構成としてもよい。このようにすれば、これまで以上に組付けも強固となり、また、これにより反り抑制効果もより高いものとすることができる。
【実施例３】
【００２８】  図８は、本発明の開閉戸用パネルの異なった他の実施形態を例示した正面図を示したものである。なお、図８においては、図１〜５と同一の部分には、同一の符号を付して説明を省略する。【００２９】  本発明の開閉戸用パネルの異なったの他の実施形態として、図８に示したように、接続したパネル部材１（１ａ〜１ｃ）の上下両端面にも框材３（３ｃ，３ｄ）を取り付けて固定したもの、すなわち、パネル部材１ａの上端面に框材３ｃ、パネル部材１ｃの下端面に框材３ｄを取り付けたものを示したものである。【００３０】  このようにした場合、３枚のパネル部材１（１ａ〜１ｃ）すべての周端面（４端面）に雇い実２（２ａ，２ｂ）および框材３（３ａ，３ｂ，３ｃ，３ｄ）を配置した構造となり、さらに一層反りに対する抑制効果が向上したものとすることができる。なお、框材３（３ｃ，３ｄ）の形状および構成も、前記した框材３（３ａ，３ｂ）と同様なものが適用可能である。
【図面の簡単な説明】
【００３１】
【図１】本発明の開閉戸用パネルの一実施形態を例示した正面図（実施例１）
【図２】本発明の開閉戸用パネルの一実施形態を例示した要部拡大分解斜視図（実施例１）
【図３】本発明の開閉戸用パネルの一実施形態を例示した横断面図（実施例１）
【図４】本発明の開閉戸用パネルの一実施形態の一変形例を例示した正面図（実施例１）
【図５】本発明の開閉戸用パネルの一実施形態の他の変形例を例示した横断面図（実施例１）
【図６】本発明の開閉戸用パネルの他の実施形態を例示した横断面図（実施例２）
【図７】本発明の開閉戸用パネルの他の実施形態の変形例を例示した横断面図（実施例２）
【図８】図８は、本発明の開閉戸用パネルの異なった他の実施形態を例示した正面図（実施例３）
【符号の説明】
【００３２】１  パネル部材
１ａ    上部のパネル部材
１ｂ    中央部のパネル部材
１ｃ    下部のパネル部材
１ｍ    溝部
２  雇い実
２ａ    上部の雇い実
２ｂ    下部の雇い実
３  框材
３ａ    右側の縦框材
３ｂ    左側の縦框材
３ｃ    上框材
３ｄ    下框材
３ｍ    パネル部材嵌合溝
４  ＭＤＦ
５  集成材
６  アルミ材
【図１】
2005090206.tif 000003
【図２】
2005090206.tif 000004
【図３】
2005090206.tif 000005
【図４】
2005090206.tif 000006
【図５】
2005090206.tif 000007
【図６】
2005090206.tif 000008
【図７】
2005090206.tif 000009
【図８】
2005090206.tif 000010